【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
第１のネットワークデバイスにより、第２のネットワークデバイスから第１のメッセージを受信するステップであって、前記第１のメッセージは、コアネットワークデバイスから前記第２のネットワークデバイスに送信され、および前記第２のネットワークデバイスから端末に送信される第１のデータの第１のデータ量、ならびに前記端末から前記第２のネットワークデバイスに送信され、および前記第２のネットワークデバイスから前記コアネットワークデバイスに送信される第２のデータの第２のデータ量の一方または両方を示す第１の情報を含み、前記第１のデータおよび前記第２のデータはベアラのデータ、フローのデータ、およびセッションのデータのうちの１つである、ステップと、
前記第１のネットワークデバイスにより、第２のメッセージを前記コアネットワークデバイスに送信するステップであって、前記第２のメッセージは、前記第１のデータ量および前記第２のデータ量の一方または両方を示す第２の情報を含む、ステップと
を含み、前記第１のネットワークデバイスはマスタノードであり、前記第２のネットワークデバイスは２次ノードであり、共に前記端末に接続する、通信方法。
【請求項２】
前記第１のデータおよび前記第２のデータは、パケットデータコンバージェンスプロトコル、ＰＤＣＰヘッダ、無線リンク制御、ＲＬＣヘッダ、メディアアクセス制御、ＭＡＣヘッダ、およびサービスデータ適応プロトコル、ＳＤＡＰヘッダが存在しない、請求項１に記載の方法。
【請求項３】
前記ベアラは、２次セルグループ、ＳＣＧベアラまたはＳＣＧスプリットベアラである、請求項１または２に記載の方法。
【請求項４】
前記第１のメッセージおよび前記第２のメッセージの一方または両方は、前記ベアラのベアラ識別子を含み、前記第１のデータおよび前記第２のデータは前記ベアラのデータであり、または
前記第１のメッセージおよび前記第２のメッセージの一方または両方は、前記フローのフロー識別子を含み、前記第１のデータおよび前記第２のデータは前記フローのデータであり、または
前記第１のメッセージおよび前記第２のメッセージの一方または両方は、前記セッションのセッション識別子を含み、前記第１のデータおよび前記第２のデータは前記セッションのデータである、請求項１から３のいずれか１項に記載の方法。
【請求項５】
前記第１のメッセージおよび前記第２のメッセージの一方または両方はタイムスタンプをさらに含み、前記タイムスタンプは、前記第１のデータ量および前記第２のデータ量の一方または両方をカウントするための開始時間および終了時間を示すために使用される、請求項１から４のいずれか一項に記載の方法。
【請求項６】
前記第２のメッセージは、前記第２のネットワークデバイスの無線アクセス技術の識別子をさらに含む、請求項１から５のいずれか一項に記載の方法。
【請求項７】
前記第１のネットワークデバイスにより、前記第２のメッセージを前記コアネットワークデバイスに送信するステップは、
前記第１のネットワークデバイスにより、前記第２のメッセージを前記コアネットワークデバイスに周期的に送信するステップを含む、請求項１から６のいずれか一項に記載の方法。
【請求項８】
前記第１のネットワークデバイスは、２次ノードハンドオーバ手順、２次ノード解放手順、２次ノード構成修正手順、またはマスタノードハンドオーバ手順において前記第１のメッセージを受信する、請求項１から７のいずれか一項に記載の方法。
【請求項９】
第２のネットワークデバイスにより、コアネットワークデバイスから前記第２のネットワークデバイスに送信され、および前記第２のネットワークデバイスから端末に送信される第１のデータの第１のデータ量、ならびに前記端末から前記第２のネットワークデバイスに送信され、および前記第２のネットワークデバイスから前記コアネットワークデバイスに送信される第２のデータの第２のデータ量の一方または両方を取得するステップであって、前記第１のデータおよび前記第２のデータは、ベアラのデータ、フローのデータ、およびセッションのデータのうちの１つである、ステップと、
前記第２のネットワークデバイスにより、第１のネットワークデバイスに、前記第１のデータ量および前記第２のデータ量の一方または両方を示す情報を含む第１のメッセージを送信するステップと
を含み、前記第１のネットワークデバイスはマスタノードであり、前記第２のネットワークデバイスは２次ノードであり、共に前記端末に接続する、通信方法。
【請求項１０】
前記第１のデータおよび前記第２のデータは、ＰＤＣＰヘッダ、ＲＬＣヘッダ、ＭＡＣヘッダ、およびＳＤＡＰヘッダが存在しない、請求項９に記載の方法。
【請求項１１】
前記ベアラは、２次セルグループ、ＳＣＧベアラまたはＳＣＧスプリットベアラである、請求項８または９に記載の方法。
【請求項１２】
前記第１のメッセージは、前記ベアラのベアラ識別子をさらに含み、前記第１のデータおよび前記第２のデータは、前記ベアラのデータであり、または
前記第１のメッセージは、前記フローのフロー識別子をさらに含み、前記第１のデータおよび前記第２のデータは、前記フローのデータであり、または
前記第１のメッセージは、前記セッションのセッション識別子をさらに含み、前記第１のデータおよび前記第２のデータは、前記セッションのデータである、請求項９から１１のいずれか一項に記載の方法。
【請求項１３】
前記第１のデータおよび前記第２のデータは前記ベアラのデータであり、前記第２のネットワークデバイスと前記端末との間の前記ベアラの送信が停止した後、前記第２のネットワークデバイスは前記第１のメッセージを前記第１のネットワークデバイスに送信し、または
前記第１のデータおよび前記第２のデータは前記フローのデータであり、前記第２のネットワークデバイスと前記端末との間の前記フローの送信が停止した後、前記第２のネットワークデバイスは前記第１のメッセージを前記第１のネットワークデバイスに送信し、または
前記第１のデータおよび前記第２のデータは前記セッションのデータであり、前記第２のネットワークデバイスと前記端末との間の前記セッションの送信が停止した後、前記第２のネットワークデバイスは前記第１のネットワークデバイスに前記第１のメッセージを送信する、請求項９から１２のいずれか一項に記載の方法。
【請求項１４】
前記第１のメッセージはタイムスタンプをさらに含み、前記タイムスタンプは、前記第１のデータ量および前記第２のデータ量の一方または両方をカウントするための開始時間および終了時間を示すために使用される、請求項９から１３のいずれか一項に記載の方法。
【請求項１５】
前記第２のネットワークデバイスは、２次ノードハンドオーバ手順、２次ノード解放手順、２次ノード構成修正手順、またはマスタノードハンドオーバ手順において前記第１のメッセージを送信する、請求項９から１４のいずれか一項に記載の方法。
【請求項１６】
コアネットワークデバイスにより、第１のネットワークデバイスからメッセージを受信するステップであって、前記メッセージは、前記コアネットワークデバイスから第２のネットワークデバイスへ送信され、および前記第２のネットワークデバイスから端末に送信される第１のデータの第１のデータ量、ならびに前記端末から前記第２のネットワークデバイスに送信され、および前記第２のネットワークデバイスから前記コアネットワークデバイスに送信される第２のデータの第２のデータ量の一方または両方を示す情報を含み、前記第１のデータおよび前記第２のデータは、ベアラのデータ、フローのデータ、およびセッションのデータのうちの１つである、ステップと、
前記コアネットワークデバイスにより、前記第１のデータ量および前記第２のデータ量の一方または両方を取得するステップと
を含み、前記第１のネットワークデバイスはマスタノードであり、前記第２のネットワークデバイスは２次ノードであり、共に前記端末に接続する、通信方法。
【請求項１７】
前記第１のデータおよび前記第２のデータは、ＰＤＣＰヘッダ、ＲＬＣヘッダ、ＭＡＣヘッダ、およびＳＤＡＰヘッダが存在しない、請求項１６に記載の方法。
【請求項１８】
前記ベアラは、ＳＣＧベアラまたはＳＣＧスプリットベアラである、請求項１６または１７に記載の方法。
【請求項１９】
前記メッセージは前記ベアラのベアラ識別子を含み、前記第１のデータおよび前記第２のデータは前記ベアラのデータであり、または
前記メッセージは前記フローのフロー識別子を含み、前記第１のデータおよび前記第２のデータは前記フローのデータであり、または
前記メッセージは前記セッションのセッション識別子を含み、前記第１のデータおよび前記第２のデータは前記セッションのデータである、請求項１６から１８のいずれか一項に記載の方法。
【請求項２０】
前記メッセージはタイムスタンプをさらに含み、前記タイムスタンプは前記第１のデータ量および前記第２のデータ量の一方または両方をカウントするための開始時間および終了時間を示すために使用される、請求項１６から１９のいずれか一項に記載の方法。
【請求項２１】
前記メッセージは前記第２のネットワークデバイスの無線アクセス技術の識別子をさらに含む、請求項１６から２０のいずれか一項に記載の方法。
【請求項２２】
コアネットワークデバイスにより、前記第１のネットワークデバイスから前記メッセージを受信するステップは、前記コアネットワークデバイスにより、前記メッセージを前記第１のネットワークデバイスから周期的に受信するステップを含む、請求項１６から２１のいずれか一項に記載の方法。
【請求項２３】
プロセッサを備える通信装置であって、前記プロセッサはメモリに結合され、前記メモリはコンピュータプログラムおよび命令のうちの１つを記憶するように構成され、前記プロセッサは、前記通信装置が請求項１から８のいずれか一項に記載の方法を実行するように、前記メモリ内の前記コンピュータプログラムおよび前記命令のうちの１つを実行するように構成される、通信装置。
【請求項２４】
通信装置であって、プロセッサを備え、前記プロセッサはメモリに結合され、前記メモリはコンピュータプログラムおよび命令のうちの一方を記憶するように構成され、前記プロセッサは、前記通信装置が請求項９から１５のいずれか一項に記載の方法を実行するように、前記メモリ内の前記コンピュータプログラムおよび前記命令のうちの一方を実行するように構成されることを特徴とする、通信装置。
【請求項２５】
プロセッサを備える通信装置であって、前記プロセッサはメモリに結合され、前記メモリはコンピュータプログラムおよび命令のうちの１つを記憶するように構成され、前記プロセッサは、前記通信装置が請求項１６から２２のいずれか一項に記載の方法を実行するように、前記メモリ内の前記コンピュータプログラムおよび前記命令のうちの１つを実行するように構成される、通信装置。
【請求項２６】
請求項１から８のいずれか一項に記載の方法を実装するための手段を備える、装置。
【請求項２７】
請求項９から１５のいずれか一項に記載の方法を実装するための手段を備える、装置。
【請求項２８】
請求項１６から２２のいずれか一項に記載の方法を実装するための手段を備える、装置。
【請求項２９】
コンピュータ可読記憶媒体であって、コンピュータソフトウェア命令を記憶するように構成され、前記コンピュータソフトウェア命令が実行されると、請求項１から２２のいずれか一項に記載の方法が実装される、コンピュータ可読記憶媒体。
【請求項３０】
通信システムであって、
請求項１から８のいずれか一項に記載の方法を実装するように構成された第１のネットワークデバイス、および請求項９から１５のいずれか一項に記載の方法を実装するように構成された第２のネットワークデバイス、または
請求項１から８のいずれか一項に記載の方法を実装するように構成された第１のネットワークデバイス、および請求項１６から２２のいずれか一項に記載の方法を実装するように構成されたコアネットワークデバイス
を備える、通信システム。